【事件の表示】
　特願２０００−　９３６４４「インクジェットプリント装置」拒絶査定不服審判事件〔平成１３年１０月　９日出願公開、特開２００１−２７７６５６〕について、次のとおり審決する。
【結　論】
　本件審判の請求は、成り立たない。
【理　由】
第１　手続の経緯
　本願は、平成１２年３月３０日の出願であって、平成１７年１１月１５日付けで通知された拒絶理由に対して、平成１８年１月１８日付けで手続補正書が提出されたが、同年５月１０日付けで拒絶査定がなされ、これに対して、同年６月１５日付けで審判請求がなされるとともに、同年７月５日付けで手続補正書が提出され、その後、当審の審尋に対して平成２０年７月９日付けで回答書が提出されたものである。
　
第２　平成１８年７月５日付けの手続補正についての補正の却下の決定
［補正却下の決定の結論］
　平成１８年７月５日付けの手続補正（以下、「本件補正」という。）を却下する。
　
［理由］
１．補正後の本願発明
　本件補正には、特許請求の範囲を次のように補正しようとする事項が含まれる。
　
（補正前）
「【請求項１】記録媒体を表面に粘着層を介して固定支持して搬送する支持体と、該支持体上の記録媒体にインクを吐出してプリントするプリント手段と、記録媒体を前記支持体から剥離した後の支持体の表面を洗浄する洗浄手段とを備えたインクジェットプリント装置において、
　前記洗浄手段は、前記支持体の搬送方向に対し直交する方向または斜め方向に往復移動可能であり、前記支持体を洗浄するためのブラシと、該ブラシに洗浄液を供給するノズルとを備えるとともに、前記支持体に残留している残留物質を吸引して除去する該支持体に非接触の吸引手段を含むことを特徴とするインクジェットプリント装置。
【請求項２】前記洗浄手段は、前記ブラシに代えて、多孔体または繊維構造体を用いることを特徴とする請求項１記載のインクジェットプリント装置。
【請求項３】前記吸引手段は、前記洗浄手段の下方位置に配設され、該吸引手段の吸引ノズルの先端部が、前記支持体の表面に対向し配設されていることを特徴とする請求項１または請求項２記載のインクジェットプリント装置。
【請求項４】前記洗浄手段の移動速度が１０〜１００ｍｍ／ｓｅｃであることを特徴とする請求項１から請求項３のいずれか一に記載のインクジェットプリント装置。」
　
（補正後）
「【請求項１】
布帛からなる
垂直方向に
縦型の
であって、
　前記洗浄手段は、前記支持体の搬送方向に対し直交する方向または斜め方向に往復移動可能であり、前記支持体
の前記粘着層の表面
摺動ブラッシング
該支持体の前記粘着層の表面に付いているインク、毛羽、ゴミ、糸屑等の残留物質を掻き出すための
【請求項２】前記洗浄手段は、前記ブラシに代えて、多孔体または繊維構造体を用いることを特徴とする請求項１記載のインクジェットプリント装置。
【請求項３】前記吸引手段は、前記洗浄手段の下方位置に配設され、該吸引手段の吸引ノズルの先端部が、前記支持体の表面に対向し配設されていることを特徴とする請求項１または請求項２記載のインクジェットプリント装置。
【請求項４】前記洗浄手段の移動速度が１０〜１００ｍｍ／ｓｅｃであることを特徴とする請求項１から請求項３のいずれか一に記載のインクジェットプリント装置。」
　
　この補正事項は、補正前の請求項１記載の「記録媒体」、「搬送する支持体」、「インクジェットプリンタ装置」、「支持体を洗浄するためのブラシ」を、「布帛からなる記録媒体」、「垂直方向に搬送する支持体」、「縦型のインクジェットプリンタ装置」、「支持体の前記粘着層の表面を摺動ブラッシングするとともに該支持体の前記粘着層の表面に付いているインク、毛羽、ゴミ、糸屑等の残留物質を掻き出すためのブラシ」と限定するものであり、この補正事項は、平成１４年法律第２４号改正附則第２条第１項によりなお従前の例によるとされる同法による改正前の特許法第１７条の２第４項第２号の特許請求の範囲の減縮を目的としたものに該当する。
　そこで、本件補正後の前記請求項１に記載された発明（以下、「本願補正発明１」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．引用刊行物の記載事項
（２−１）刊行物１
　原査定の拒絶の理由に引用された、本願出願前に頒布された特開平１１−１９２６９４号公報（原査定の引用文献１。以下、「刊行物１」という。）には、図面とともに次の事項が記載されている。下線は当審で付与した。
　
（２−１ａ）「【００１２】
【課題を解決するための手段】上記課題を解決するために、
本発明にもとづくインクジェットプリント装置は、インクジェットヘッドを用い、該インクジェットヘッドからプリント媒体にインクを吐出してプリントを行うインクジェットプリント装置であって、プリント媒体の支持および搬送を行う無端ベルトと該無端ベルトを駆動させる駆動手段とを備えた搬送部と、無端ベルトによって搬送されるプリント媒体に対して、インクジェットヘッドによるプリントを行うプリント部と、プリント部から無端ベルトによって搬送されるプリント済みのプリント媒体を無端ベルトから離して回収する回収部と、回収部においてプリント媒体が取り除かれた前記無端ベルトを洗浄する洗浄部とを有し、さらに、洗浄部は少なくとも周面が高分子多孔質体からなる拭き取りローラを具備する
【００１３】好ましくは、
洗浄部は、無端ベルトを洗浄するためのブラシと、水滴を除去するためのマングルローラとをさらに備え、また拭き取りローラはマングルローラによる水滴除去の際に残留した水分を除去
　
（２−１ｂ）「【００１７】
【発明の実施の形態】本発明の
インクジェットプリント装置
【００１８】図１は本発明に係わるインクジェットプリント装置の概略的構成を示す断面図である。
【００１９】ここで、参照符号１は
プリント媒体としての布帛
水平方向に搬送
【００２０】搬送部Ａは、サーボモータ６と連結して駆動回転可能な駆動ローラ７と、回転自在な従動ローラ８との間にエンドレスベルト９を掛け渡し、駆動ローラ７を駆動回転することによってエンドレスベルト９を図１の反時計方向へ回転させて布帛１を搬送するものである。この
エンドレスベルト９の表面には粘着層が形成されている
巻出しローラ２から繰り出された布帛１は貼付ローラ１４によってエンドレスベルト９の粘着層に押し付けられて接着し、エンドレスベルト９から浮くことなく搬送される
【００２１】尚、エンドレスベルト９は記録手段４と対向する所定範囲において、プラテンローラ１０ａ，１０ｂによってガイドされ、その部分でのベルト９に適切な張力が付与されて水平方向に布帛１を搬送するよう構成されている。
【００２２】
記録手段４は、記録ヘッドからインクを吐出して記録するインクジェット記録方式を用いている
【００２３】なお、記録手段４には、キャリッジ４ａが図１の紙面と垂直な方向に移動できるように設けられ、この移動の間にキャリッジ４ａに取り付けられた二つのインクジェットヘッド４ｂによりプリントが行われる。
【００２４】そのように
平坦性が確保された状態で搬送される布帛１は、プラテンローラ１０ａ，１０ｂ間の領域内で記録手段４によりプリント剤が付与され、駆動ローラ７の部位において搬送ベルト９ないし接着層から剥離され、巻き取りローラ５によって巻き取られていく
【００２５】上記構成において、巻出しローラ２、巻き取りローラ５、駆動ローラ７、従動ローラ８等は捺染装置本体の構造体であるフレームの溶接構造で一体とされる架台１５によって支持されている。架台１５の複数の所定箇所には設置床面に対して装置を水平及び高さ方向に調整可能とするレベルパット１６が取り付けられている。
【００２６】また、記録手段４は、
水平方向に移動可能に設けられており
【００２７】巻出しローラ２は、巻出されるのとは逆方向に不図示のクラッチ等によりテンションがかけられている。これにより、布帛１にたるみが発生することなく皺取りローラ３ｄで皺が伸ばされる。
【００２８】巻き取りローラ５は、巻き取り方向に不図示のクラッチ等によりテンションがかけられている。これにより、ベルト９が送られてテンションが弱くなると布帛１はベルトから剥がされるとともに、巻き取りローラ５に布帛１が巻き取られる。
【００２９】布帛１が剥離された後、ベルト９は下方に回り込み、洗浄部Ｃを通過する。
この洗浄部Ｃの具体的構成を図２に示す
【００３０】
洗浄部Ｃでは、ベルト表面に付着したインクや、粘着層に付着したゴミ、ケバが洗浄ブラシ３１で洗浄される
洗浄ブラシ３１とベルト９の間に水洗ノズル３２が設けられ、水を供給しながら洗浄される
洗浄ブラシ３１に付着した繊維くずやゴミ、ケバが洗い落とされるようになっている
【００３１】
洗浄ブラシ３１で水洗されたベルト９の表面には水滴が付着している
大きな水滴な除去されるが、ベルト９の表面には残留水分が残っている
これを拭き取りローラ３６で除去する
【００３２】拭き取りローラ３６は、ウレタン等の高分子材料からなる多孔質体で作られており、微細な気孔が形成されている。これにより、吸水性に優れているばかりでなく、柔軟性も持っている。そのため、ベルト９の表面余分なゴミ、ケバを付着させることなく、残留水分を拭き取ることができる。」
　
（２−１ｃ）上記で参照している【図２】は、以下に示すものである。
　
　
　上記（２−１ａ）〜（２−１ｃ）の摘記事項等を総合して勘案すると、刊行物１には次の発明（以下「刊行物１記載の発明」という）が記載されているものと認められる。
　
「布帛からなるプリント媒体を表面に粘着層を介して固定支持して水平方向に搬送するエンドレスベルトと、該エンドレスベルト上のプリント媒体にインクを吐出してプリントするプリント部と、プリント媒体を前記エンドレスベルトから剥離した後のエンドレスベルトの表面を洗浄する洗浄部とを備えたインクジェットプリント装置であって、
　前記洗浄部は、前記エンドレスベルトの前記粘着層の表面をブラッシングするとともに該エンドレスベルトの前記粘着層の表面に付いているインク、ケバ、ゴミ等を掻き出すためのブラシと、前記ブラシと前記エンドレスベルトの間に水を供給する水洗ノズルとを備えるとともに、前記エンドレスベルトに残留している残留水分を吸水して拭き取る、拭き取りローラを含む、インクジェットプリント装置。」
　
３．対比・判断
　そこで、本願補正発明１と刊行物１記載の発明とを対比すると、
　刊行物１記載の発明の「プリント媒体」、「エンドレスベルト」、「プリント部」、「洗浄部」、「インク、ケバ、ゴミ等」は、それぞれ、本願補正発明２の「記録媒体」、「支持体」、「プリント手段」、「洗浄手段」、「インク、毛羽、ゴミ、糸屑等の残留物質」に相当する。
　また、刊行物１記載の発明の「水」は、本願補正発明１の「洗浄液」と同じ、エンドレスベルトの洗浄のために供給されているから、刊行物１記載の発明の「水」は、本願補正発明１の「洗浄液」に相当し、当該水を供給する刊行物１記載の「水洗ノズル」は、本願補正発明１の「ノズル」に相当するといえる。
　したがって、両者は、
「布帛からなる記録媒体を表面に粘着層を介して固定支持して搬送する支持体と、該支持体上の記録媒体にインクを吐出してプリントするプリント手段と、記録媒体を前記支持体から剥離した後の支持体の表面を洗浄する洗浄手段とを備えたインクジェットプリント装置であって、
　前記洗浄手段は、前記支持体の前記粘着層の表面をブラッシングするとともに該支持体の前記粘着層の表面に付いているインク、毛羽、ゴミ、糸屑等の残留物質を掻き出すためのブラシと、洗浄液を供給するノズルとを備えるインクジェットプリント装置。」である点で一致し、以下の点で相違点する。
　
（３−１ａ）相違点１
　本願補正発明１は、支持体が垂直方向に搬送される縦型のインクジェットプリント装置であるのに対して、刊行物１記載の発明は、支持体（エンドレスベルト）が水平方向に搬送される水平型のインクジェットプリント装置である点。
　
（３−１ｂ）相違点２
　本願補正発明１は、洗浄手段が、支持体の搬送方向に対し直交する方向または斜め方向に往復移動可能であり、前記支持体の表面を摺動ブラッシングするのに対して、刊行物１記載の発明は、洗浄部（洗浄手段）が、支持体（エンドレスベルト）の表面をブラッシングするが、その具体的動作が不明な点。
　
（３−１ｃ）相違点３
　本願補正発明１は、ブラシに洗浄液を供給するノズルを備えるのに対し、刊行物１記載の発明は、ブラシとエンドレスベルトの間に洗浄液を供給するノズルを備える点。
　
（３−１ｄ）相違点４
　本願補正発明１は、支持体に残留している前記残留物質を吸引して除去する該支持体に非接触の吸引手段を有するのに対し、刊行物１記載の発明は、支持体（エンドレスベルト）に残留している残留水分を吸水して拭き取る拭き取りローラを有する点。
　
（３−２）相違点についての判断
　上記相違点について検討する。
（３−２ａ）相違点１について
　装置内の支持体を水平とするか垂直とするかは、装置全体の形状や大きさ、装置部内の他の装置との関係等を考慮して、当業者なら適宜選択しうる程度のものであり、また、特開平３−２５１４７３号公報（第１図、第２図等参照）や特開昭６４−４５６７７号公報（第２図等参照）等にもあるように垂直方向に搬送される記録媒体に対してプリントを行うインクジェットプリンタ装置は、本願出願前に周知の技術的事項である。
　してみれば、刊行物１記載の発明のインクジェットプリンタ装置を縦型とし、支持体を垂直に搬送するように構成することは、当業者なら上記周知の技術的事項を参考に容易に想到しうるものである。
　
（３−２ｂ）相違点２について
　特開平６−２６２７５８号公報（段落【００１３】、【００２１】等参照）及び特開平４−１９７６３８号公報（第６頁左下欄第５行目〜同頁右下欄第１２行目）等にもあるように、洗浄手段を、洗浄対象に対して往復移動させて、洗浄を行うことは、周知慣用の技術的事項であり、その往復移動方向を、洗浄対象の移動方向に対して垂直とするか斜め方向とするかは、当業者なら適宜設定しうる程度の事項である。
　したがって、刊行物１記載の発明の洗浄手段に、上記周知慣用の技術的事項を適用して、相違点２に係る構成を有するものとすることは当業者なら容易になしうるものである。
　
（３−２ｃ）相違点３について
　洗浄液の供給位置を、ブラシの位置とするか、ブラシと支持体の間の位置とするか、その位置の違いによる格別の効果が生じるわけでもなく、当業者なら必要に応じて適宜最適となるように設置する程度の設計的事項に過ぎない。
　
（３−２ｄ）相違点４について
　実願平５−３７３号(実開平６−５５１０２号)のマイクロフイルム（段落【００１６】等参照）、特開平６−２６２７５８号公報（段落【００１７】【００１８】等参照）等にもあるように、洗浄手段に吸引手段をあわせて設けることは周知慣用の技術的事項であり、さらに、ブラシにより掻き出された物質を吸引手段により除去することは、掃除機等にも見られるように慣用の技術的事項である。
　したがって、刊行物１記載の発明において、周知慣用の技術的事項である吸引手段を別途設けて、相違点４に係る構成を有するものとすることは当業者なら容易になしうるものである。
　
（３−３）効果について
　そして、全体として、本願補正発明１によってもたらされる効果は、刊行物１記載の発明及び周知の技術的事項から、当業者なら予測しうる程度のことであって、格別なものではない。
　
（３−４）まとめ
　よって、本願補正発明１は、刊行物１記載の発明及び周知の技術的事項に基づいて当業者が容易に発明をすることができたものであるから、本願補正発明１は、特許法第２９条第２項の規定により、特許出願の際独立して特許を受けることができない。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願の請求項１に係る発明
　平成１８年７月５日付けの手続補正は上記のとおり却下されたので、本願の請求項１〜４に係る発明は、平成１８年１月１８日付けの手続補正書により補正された特許請求の範囲の請求項１〜４に記載された事項により特定されるとおりのものと認められるところ、その請求項１に係る発明（以下、「本願発明１」という。）は、上記「第２　１．（補正前）」のとおりのものである。
　
２．引用刊行物の記載事項
（１）刊行物１
　原査定の拒絶の理由に引用された、本願出願前に頒布された特開平１１−１９２６９４号公報（以下、「刊行物１」という。）の記載事項は、前記「第２　２．（２−１）」に記載したとおりである。
　
３．対比・判断
　本願発明１は、前記「第２　１．」で検討した本願補正発明１の「布帛からなる記録媒体」、「垂直方向に搬送する支持体」、「縦型のインクジェットプリンタ装置」、「支持体の前記粘着層の表面を摺動ブラッシングするとともに該支持体の前記粘着層の表面に付いているインク、毛羽、ゴミ、糸屑等の残留物質を掻き出すためのブラシ」との構成から、各々「布帛からなる」、「垂直方向に」、「縦型の」、「支持体の前記粘着層の表面を摺動ブラッシングするとともに該支持体の前記粘着層の表面に付いているインク、毛羽、ゴミ、糸屑等の残留物質を掻き出すため」という限定事項を省いたものである。
　そうすると、本願発明１の構成要件を全て含み、さらに他の構成要件を付加したものに相当する本願補正発明１が、前記「第２　３．」に記載したとおり、刊行物１に記載された発明及び周知技術に基づいて当業者が容易に発明をすることができたものであるから、本願発明１も、同様の理由により、刊行物１に記載された発明及び周知技術に基づいて当業者が容易に発明をすることができたものである。
　
４．むすび
　以上のとおりであるから、本願の請求項１に係る発明は、特許法第２９条第２号の規定により特許を受けることができないものであるので、他の請求項について検討するまでもなく、本願は拒絶すべきものである。
　よって、結論のとおり審決する。